(57)【特許請求の範囲】
【請求項１】
上部開口を有する集水ます本体と、上部開口に嵌合取付けされる上蓋とを備え、挿入孔が穿設され、この挿入孔に固定具が挿入されて集水ます本体が建物の外壁面に取付け固定される外壁面取付部が、集水ます本体の背面に集水ます本体の上部開口縁よりも上方に突出されて設けられている集水ますにおいて、外壁面取付部の集水ます本体の上部開口側に、上蓋を集水ます本体の上部開口まで案内するガイド部が設けられ、前記ガイド部は、上蓋が集水ます本体の上部開口に装着された状態において上蓋背面に当接される凸部で構成され、その凸部は上部開口縁から上方に延びて形成されており、上蓋を集水ます本体の上部開口に嵌合取付けする際には、集水ます本体の上部開口の上方位置において上蓋背面を外壁面取付部の凸部に接触させつつ上蓋を下方にずらして上部開口まで案内して集水ます本体の上部開口に嵌合させることを特徴とする集水ます。
【発明の詳細な説明】
【技術分野】
【０００１】
本発明は、集水ますに関するものである。
【背景技術】
【０００２】
従来より、上部開口を有する集水ます本体の背面に、建物の外壁面から突設され屋上から配管される排水管挿入のための開口部が上方に開放されて形成され、上部開口に上蓋が嵌合取付され、集水ます本体底部に、建物の外壁面に竪樋保持具にて保持固定されている竪樋の上端部に嵌合接続される排水筒部が垂設された集水ますが知られている（例えば、特許文献１参照）。この集水ますは、排水管の先端が集水ます本体背面の開口部に嵌められ、竪樋の上端部が集水ます本体底部の排水筒部に嵌合されて集水ます本体が保持されており、集水ます本体は建物の外壁面と直接的に固定されていない。したがって、風等による揺れで集水ますが竪樋から外れてしまうという問題点を有する。
【０００３】
そこで、この問題点を解決するために、本発明者は、挿入孔が穿設され、この挿入孔に固定具が挿入されて集水ます本体が建物の外壁面に取付け固定される外壁面取付部が、集水ます本体の背面に集水ます本体の上部開口縁よりも上方に突出されて設けられている集水ますを提案している（例えば、特許文献２参照）。特許文献２の集水ますにおいては、集水ます本体を建物の外壁面に作業性よく直接固定できる。しかも、集水ます本体から上蓋を外して集水ます本体内部を清掃する等のメンテナンス時においても、集水ます本体を固定している固定具で作業が妨げられることはない。しかしながら、メンテナンス終了後は上蓋を集水ます本体に再び装着させる必要があるが、集水ます本体の上部開口への上蓋の嵌合取付に際して、上蓋を集水ます本体の上部開口に嵌合するための位置決めに手間取り、集水ます本体の上部開口への上蓋の装着をスムーズに行うことができない場合があった。このため、集水ます本体の上部開口への上蓋の嵌合取付作業性をより向上させることが望まれている。
【特許文献１】実新登第２５７５４０２号公報
【特許文献２】特願２００７−０１５９１１号
【発明の開示】
【発明が解決しようとする課題】
【０００４】
本発明は、以上の通りの事情に鑑みてなされたものであり、集水ます本体の上部開口への上蓋の嵌合取付に際し、上蓋を集水ます本体の上部開口に嵌合するための位置決めを容易にし、集水ます本体の上部開口に上蓋を確実に固定することができる集水ますを提供することを課題としている。
【課題を解決するための手段】
【０００５】
本発明の集水ますは、上記の課題を解決するために、上部開口を有する集水ます本体と、上部開口に嵌合取付けされる上蓋とを備え、挿入孔が穿設され、この挿入孔に固定具が挿入されて集水ます本体が建物の外壁面に取付け固定される外壁面取付部が、集水ます本体の背面に集水ます本体の上部開口縁よりも上方に突出されて設けられている集水ますにおいて、外壁面取付部の集水ます本体の上部開口側に、上蓋を集水ます本体の上部開口まで案内するガイド部が設けられ、前記ガイド部は、上蓋が集水ます本体の上部開口に装着された状態において上蓋背面に当接される凸部で構成され、その凸部は上部開口縁から上方に延びて形成されており、上蓋を集水ます本体の上部開口に嵌合取付けする際には、集水ます本体の上部開口の上方位置において上蓋背面を外壁面取付部の凸部に接触させつつ上蓋を下方にずらして上部開口まで案内して集水ます本体の上部開口に嵌合させることを特徴としている。
【発明の効果】
【０００６】
本発明によれば、外壁面取付部の集水ます本体の上部開口側に、上蓋を集水ます本体の上部開口まで案内するガイド部が設けられることにより、上蓋を集水ます本体の上部開口に嵌合取付けする際には、集水ます本体の上部開口の上方位置において上蓋背面をガイド部を構成する凸部に接触させつつ、上蓋を上部開口まで案内して集水ます本体の上部開口に嵌合している。このように上蓋背面をガイド部を構成する凸部に接触させることで、集水ます本体の上部開口に上蓋を嵌合するための、建物の外壁面に対しての前後方向の位置が容易に決まる。そして、上蓋をそのまま上部開口との嵌合位置まで下方にずらしていくことで、上蓋を集水ます本体の上部開口に容易に、しかも確実に嵌合させることができる。したがって、集水ます本体内部を清掃する等のメンテナンス終了後、上蓋を集水ます本体に再び装着させる等、集水ます本体の上部開口への上蓋の嵌合取付に際して、上蓋を集水ます本体の上部開口に嵌合するための位置決めに手間取ることなく、集水ます本体の上部開口に上蓋をスムーズに装着することができる。
【発明を実施するための最良の形態】
【０００７】
以下に、本発明の実施の形態について、図面を参照しながら説明する。
【０００８】
図１は本発明の集水ますの一実施形態を示した分解斜視図であり、図２は集水ます本体の背面に設けられた外壁面取付部の要部斜視図である。図３は図１に示した集水ますを建物の外壁面に取り付ける際の状態を示した側面図であり、図４は集水ます本体の上部開口への上蓋の嵌合取付を説明するための斜視図である。
【０００９】
図１に示した集水ます１は、角型の角ます１ａであり、上部開口２１を有する集水ます本体２と、集水ます本体２の上部に嵌合取付けて装着される上蓋３を備えている。
【００１０】
上蓋３は、落ち葉等が角ます１ａの集水ます本体２の内部に舞い落ちるのを防止し、集水および排水能力を高度に維持するためのものであり、例えば受け皿状に形成することができ、蓋面３１には、略中央部に表裏に貫通する水抜き孔３６（図４参照）を形成することができ、蓋面３１は、水抜き孔３６に向かって流水勾配を設け、上蓋３に溜まる雨水を集水および排水することができるようにすることができる。上蓋３の下部周縁には、集水ます本体２の上部開口２１の内側に嵌合される嵌合筒部３４が一体に垂設されており、上蓋３の正面３ａ、左側面３ｂ、右側面３ｃ、背面３ｄよりなる周面および嵌合筒部３４より段部３５が形成され、この段部３５は集水ます本体２の上部開口２１の上部開口縁２１ａで係止されるようになっている。このような上蓋３は、角ます１ａの開放された集水ます本体２の上部開口２１に装着されるため、角ます１ａの集水ます本体２の強度が高まり、形態が安定する。
【００１１】
集水ます本体２は、正面２ａ、左側面２ｂ、右側面２ｃおよび背面２ｄを備え、隣接する面間で略直角に接続され、正面２ａと背面２ｄが平行に、左側面２ｂと右側面２ｃがそれぞれ平行に配置されて、角筒状に形成されている。背面２ｄは、上端から略中央部にかけて下方に切り欠かれ、建物の外壁面５から突設された排水管を集水ます本体２の内部に導入するための開口部２２が略Ｕ字状に形成されている。角ます１ａの集水ます本体２の底面２ｅには、建物の外壁面５に固定される竪樋との接続部２８が下方に突設されている。接続部２８は、集水ます本体２の内部と連通している。接続部２８の形状は竪樋の形状に応じて適宜なものとすることができ、図１に示した角ます１ａでは略リング状とされている。
【００１２】
また、図１に示した集水ます１としての角ます１ａには、集水ます本体２の背面２ｄに形成された開口部２２の外側方に、開口部２２の左右両側端縁２２ａ，２２ｂに沿って縦方向に延び、集水ます本体２の背面２ｄの外側に突出する外壁面当接部２３が集水ます本体２の背面２ｄと一体的に形成されている。外壁面当接部２３は、集水ます本体２の背面２ｄの外側において集水ます本体２の背面２ｄの上端から下端部にまで延びる左右一対の縦片部２３ａ，２３ｂを有し、縦片部２３ａ，２３ｂの下端部は横片部２３ｃによって連結され、平面視略コ字状に形成されている。
【００１３】
集水ます本体２の背面２ｄに形成された外壁面当接部２３の縦片部２３ａ，２３ｂの上端部には、角ます１ａを建物の外壁面５に固定するための平面視略矩形状の外壁面取付部２４が、集水ます本体２の上部開口２１の外側方に外壁面当接部２３の縦片部２３ａ，２３ｂと一体に配設され、集水ます本体２の上部開口縁２１ａよりも上方に突設されている。外壁面取付部２４の略中央の位置には、ねじ、ビス等の固定具４を挿入するための挿入孔２５が表裏を貫通して形成されている。
【００１４】
また、図２に示すように、外壁面取付部２４の集水ます本体２の上部開口２１側、つまり外壁面取付部２４の正面２４ａに上蓋３を集水ます本体２の上部開口２１まで案内するガイド部２７が設けられている。このガイド部２７は、上蓋３が集水ます本体２の上部開口２１に装着された状態において上蓋３背面３ｄの左右両端部３２，３３に当接される凸部２７ａで構成されている。凸部２７ａは外壁面取付部２４の挿入孔２５に挿入されるねじ、ビス等の固定具４の頭部と干渉しないように、挿入孔２５と所定の間隔を開けて外壁面取付部２４の正面２４ａと一体に配設され、外壁面取付部２４の外側端部２６の位置において、上部開口縁２１ａから上方に延び外壁面取付部２４の上端縁２４ｃまで縦方向に形成されている。
【００１５】
図１に示した集水ます１としての角ます１ａを建物の外壁面５に取り付ける場合には、図３に示したように、角ます１ａの集水ます本体２の背面２ｄの外側に突設された外壁面当接部２３を建物の外壁面５に当接させ、所定の高さに配置する。このとき、外壁面当接部２３の上端部の外壁面取付部２４の背面２４ｂが建物の外壁面５に当接するので、ねじ、ビス等の固定具４を図１に示した外壁面取付部２４に形成された挿入孔２５を通じて螺入、打入等によって角ます１ａを建物の外壁面５に固定する。角ます１ａの集水ます本体２の背面２ｄは建物の外壁面５に当接せず、集水ます本体２の背面２ｄの外側に突設された外壁面当接部２３が建物の外壁面５に当接するため、建物の外壁面５に不陸が生じていても、外壁面当接部２３によって建物の外壁面５の不陸を吸収することができ、集水ます本体２の底面２ｅの接続部２８において竪樋と精度の高い接続が可能となる。また、角ます１ａでは、外壁面当接部２３を建物の外壁面５に当接するだけで建物の外壁面５の不陸が吸収され、角ます１ａの取り付けに手間はかからず、竪樋との接続が容易となる。さらに、角ます１ａの集水ます本体２の背面２ｄは建物の外壁面５に直接当接しないため、角ます１ａおよび外壁面５の雨垂れによる汚れを解消することもできる。さらにまた、角ます１ａの集水ます本体２の背面２ｄには、建物の外壁面５から外方に突設された排水管を導入するために、図１に示したような開口部２２が形成されるが、開口部２２の外側方に配設された外壁面当接部２３は、集水ます本体２の背面２ｄの強度を向上させるのに有効となる。建物の外壁面５の不陸に容易に対処し、取り付けの手間がかからずに竪樋との接続を容易に行うことのできる集水ます１としての角ます１ａが実現される。
【００１６】
なお、角ます１ａの集水ます本体２の背面２ｄ側に突設する外壁面当接部２３の厚さｔは、建物の外壁面５の施工精度によっても異なるが、一般に５ｍｍ程度であれば十分であり、材質としては、発泡体等の弾力性を有するものが好ましく例示される。
【００１７】
上蓋３を集水ます本体２の上部開口２１に嵌合取付けする際には、図４に示すように、集水ます本体２の上部開口２１の上方位置において、上蓋３の背面３ｄの左右両端部３２，３３を外壁面取付部２４の凸部２７ａに接触させる。この状態で集水ます本体２の上部開口２１に上蓋３を嵌合するための、建物の外壁面５に対しての前後方向の位置が容易に決まる。前後方向の位置が決まれば、左右方向の位置については、集水ます本体２の左側面２ｂと右側面２ｃがそれぞれ、上蓋３の左側面３ｂと右側面３ｃと面一となるように上蓋３の位置を合わせるだけでよい。このようにして、集水ます本体２の上部開口２１に上蓋３を嵌合するための位置決めが容易に実現される。位置決めした後は、そのまま上蓋３を集水ます本体２の上部開口２１との嵌合位置まで下方にずらしていくことで上蓋３を集水ます本体２の上部開口２１に容易に、しかも確実に嵌合させ装着することができる。したがって、集水ます本体２内部を清掃する等のメンテナンス終了後、上蓋３を集水ます本体２に再び装着させる等、集水ます本体２の上部開口２１への上蓋３の嵌合取付に際しては、上蓋３を集水ます本体２の上部開口２１に嵌合するための位置決めに手間取ることなく、集水ます本体２の上部開口２１に上蓋３をスムーズに装着することができる。
【００１８】
上蓋３の嵌合筒部３４の左右両側面３４ａおよび背面３４ｂには、下端部に下方に突出する弾性を有するバネ片６を設けることができる。上蓋３の嵌合筒部３４の左右両側面３４ａには略中央部にバネ片６を突設し、背面３４ｂには、角ます１ａの集水ます本体２に形成された開口部２２を避けるように左右両側に一つずつ突設することができる。これらのバネ片６に対応して、角ます１ａの集水ます本体２の左側面２ｂ、右側面２ｃおよび背面２ｄの上端部には表裏を貫通する係合孔７を設ける。こうすることにより、上蓋３を角ます１ａの集水ます本体２の上部開口２１に装着するときに、各バネ片６が対応する係合孔７に個別に嵌着し、バネ片６が有する弾性によってリジッドに上蓋３が集水ます本体２に取り付けられ、角ます１ａの形態がより安定に保たれ、角ます１ａの集水ます本体２の強度がより高まる。
【図面の簡単な説明】
【００１９】
【図１】本発明の集水ますの一実施形態を示した分解斜視図である。
【図２】集水ます本体の背面に設けられた外壁面取付部の要部斜視図である。
【図３】図１に示した集水ますを建物の外壁面に取り付ける際の状態を示した側面図である。
【図４】集水ます本体の上部開口への上蓋の嵌合取付を説明するための斜視図である。
【符号の説明】
【００２０】
１  集水ます
１ａ  角ます
２  集水ます本体
２ｄ  背面
２１  上部開口
２４  外壁面取付部
２４ｂ  背面
２５  挿入孔
２７  ガイド部
２７ａ  凸部
３  上蓋
３ｄ  背面
４  固定具
５  外壁面
【図１】
0004826555.tif 000002
【図２】
0004826555.tif 000003
【図３】
0004826555.tif 000004
【図４】
0004826555.tif 000005